(57)【要約】【課題】オペレータに空気浄化フィルタの交換をうながして、内視鏡を通じて送気される空気を継続的に確実に浄化することができる内視鏡用光源装置を提供すること。【解決手段】送気ポンプ２に大気を吸い込むための吸気口２１と送気ポンプ２で加圧された空気を装置外に送り出すための送気口２２との間の空気流路に、空気を浄化するための空気浄化フィルタ１７が着脱自在に取り付けられた内視鏡用光源装置において、空気浄化フィルタ１７を、光源ランプ１を交換する際に外方から緩める必要のあるランプ固定摘まみ４ａの外側位置に隣接して配置した。【選択図】      図１
2005334508.tif 000002
【特許請求の範囲】
【請求項１】
内視鏡に供給するための照明光を放射する光源ランプと、上記内視鏡に供給するための空気を送り出す送気ポンプとが内蔵されて、上記送気ポンプに大気を吸い込むための吸気口と上記送気ポンプで加圧された空気を装置外に送り出すための送気口との間の空気流路に、空気を浄化するための空気浄化フィルタが着脱自在に取り付けられた内視鏡用光源装置において、
上記空気浄化フィルタを、上記光源ランプを交換する際に外方から緩める必要のあるランプ固定摘まみの外側位置に隣接して配置したことを特徴とする内視鏡用光源装置。
【請求項２】
上記光源ランプを交換する際に開閉されるランプ交換扉が外部から開閉自在に設けられていて、上記ランプ交換扉によって開閉される開口部内に上記ランプ固定摘まみと上記空気浄化フィルタが配置されている請求項１記載の内視鏡用光源装置。
【発明の詳細な説明】
【技術分野】
【０００１】
この発明は、内視鏡に対して供給する空気を送り出すための送気ポンプを内蔵した内視鏡用光源装置に関する。
【背景技術】
【０００２】
一般に、内視鏡用光源装置には、内視鏡に対して送気用の空気を供給するための送気ポンプが内蔵されており、内視鏡室内の大気を、内視鏡を通じて患者の体腔内に送気できるようになっている。
【０００３】
しかし、内視鏡室内の空気は必ずしも清浄なものではないから、手術時に内視鏡を使用するような場合は、内視鏡室内の空気をそのまま患者の体腔内に送気すると、空中の細菌等による感染症発生のおそれがある。
【０００４】
そこで従来は、送気ポンプに大気を吸い込むための吸気口と送気ポンプで加圧された空気を装置外に送り出すための送気口との間の空気流路に、空気を浄化するための空気浄化フィルタを外方から着脱自在に設けていた（例えば、特許文献１）。
【特許文献１】特開平８−２５６９７１
【発明の開示】
【発明が解決しようとする課題】
【０００５】
送気ポンプによる空気流路に空気浄化フィルタを設けることにより、内視鏡に送られる空気を清浄なものにすることができるが、フィルタ交換を定期的に行わないと、フィルタ機能が低下して元の木阿弥になってしまう。
【０００６】
しかし、光源ランプ切れ等と違って空気浄化フィルタの目詰まり等には気がつかない場合が多く、また、目詰まりがあっても内視鏡検査を全く行えなくなるわけではないので、目詰まりに気がついてもそのまま使用されてしまう場合がある。
【０００７】
そこで本発明は、オペレータに空気浄化フィルタの交換をうながして、内視鏡を通じて送気される空気を継続的に確実に浄化することができる内視鏡用光源装置を提供することを目的とする。
【課題を解決するための手段】
【０００８】
上記の目的を達成するため、本発明の内視鏡用光源装置は、内視鏡に供給するための照明光を放射する光源ランプと、内視鏡に供給するための空気を送り出す送気ポンプとが内蔵されて、送気ポンプに大気を吸い込むための吸気口と送気ポンプで加圧された空気を装置外に送り出すための送気口との間の空気流路に、空気を浄化するための空気浄化フィルタが着脱自在に取り付けられた内視鏡用光源装置において、空気浄化フィルタを、光源ランプを交換する際に外方から緩める必要のあるランプ固定摘まみの外側位置に隣接して配置したものである。
【０００９】
なお、光源ランプを交換する際に開閉されるランプ交換扉が外部から開閉自在に設けられていて、ランプ交換扉によって開閉される開口部内にランプ固定摘まみと空気浄化フィルタが配置されていてもよい。
【発明の効果】
【００１０】
本発明によれば、光源ランプを交換する必要が生じた時に、同時にオペレータに空気浄化フィルタの交換をうながして、内視鏡を通じて送気される空気を継続的に確実に浄化することができる。
【発明を実施するための最良の形態】
【００１１】
空気浄化フィルタを、光源ランプを交換する際に外方から緩める必要のあるランプ固定摘まみの外側位置に隣接して配置する。
【実施例】
【００１２】
図面を参照して本発明の実施例を説明する。
図２は内視鏡用光源装置の側面図、図３は平面図である。ただし、図２及び図３共に筐体０内に配置されている各部材を実線で示してある。
【００１３】
内視鏡用光源装置には、内視鏡に供給するための照明光を放射する光源ランプ１と、内視鏡に供給するための空気を送り出す送気ポンプ２が内蔵されている。９は、内視鏡のコネクタが接続されるコネクタ受けである。
【００１４】
光源ランプ１は、図２におけるＩ−Ｉ断面を図示する図１にも示されるように、放熱用のヒートシンク３によって外周から締め付けられた状態に支持されており、ヒートシンク３を台座３′に押圧している押圧ネジの頭であるランプ固定摘まみ４ａ，４ｂを緩めれば、光源ランプ１に対するヒートシンク３の締め付け力が弱まって、光源ランプ１をヒートシンク３に対して着脱することができる。
【００１５】
ランプ固定摘まみ４ａ，４ｂの頭部が面する筐体０の側壁部分には、外部から手を差し込んで光源ランプ１を交換することができるように開口部５が形成されていて、外部から開閉自在なランプ交換扉６によって開口部５が塞がれている。
【００１６】
ランプ交換扉６は、一端側に設けられた蝶番７を中心に回動するように筐体０に取り付けられていて、他端側に取り付けられている摘まみ８を回転させることにより、筐体０に対する固定とその解除を行うことができるようになっている。
【００１７】
１６は、送気ポンプ２に吸い込まれる空気を浄化するための空気浄化フィルタを内蔵した円筒状の空気浄化フィルタユニットであり、筐体０内のフレーム１０に対して着脱自在にランプ交換扉６の内側に配置されたフィルタユニット支持腕１４に、着脱可能に取り付けられている。
【００１８】
空気浄化フィルタユニット１６は、図４及びそのＶ−Ｖ断面を図示する図５に実線で示されるように、空気浄化フィルタ１７を内蔵する円筒状のユニットであり、空気浄化フィルタユニット１６を両端付近の二箇所で側方から弾力的に挟み付けるフィルタユニット支持腕１４を開く方向に弾性変形させれば、空気浄化フィルタユニット１６をフィルタユニット支持腕１４から取り外して交換することができる。
【００１９】
二箇所に設けられているフィルタユニット支持腕１４は、互いの基部どうしが、平板状に形成された連結座板１５によって一体に連結されており、図４に二点鎖線で示されるように光源装置のフレーム１０に形成された凹部に、連結座板１５部分がフィルタユニット支持腕１４の基部付近と共に嵌め込まれ、それによって空気浄化フィルタユニット１６が位置決めされている。
【００２０】
また、図４と図５に二点鎖線で示されるように、連結座板１５の中間部分を弾力的に挟み付ける状態に、フレーム１０側から開口部５の方に向けて押え板１１が突出形成されている。
【００２１】
したがって、図５に矢印Ａで示されるように、連結座板１５を開口部５側にスライドさせれば、それと一体にフィルタユニット支持腕１４と空気浄化フィルタユニット１６を開口部５側に抜き出すことができ、逆の動作により、連結座板１５を押え板１１とフレーム１０との間の隙間に挟み付けて、空気浄化フィルタユニット１６を所定位置にセットすることができる。
【００２２】
そのように配置されている空気浄化フィルタユニット１６の出口側には、送気ポンプ２の入口側から延出して配置されている接続チューブ２０が接脱自在に差し込み接続されていて、その差し込み部は図示されていないＯリング等によりシールされている。
【００２３】
その結果、送気ポンプ２を運転すると、空気浄化フィルタユニット１６の吸気口２１から吸い込まれた大気が、空気浄化フィルタユニット１６内で空気浄化フィルタ１７を通過して浄化されてから、接続チューブ２０を通って送気ポンプ２に導かれ、筐体０の外面に配置されている送気口２２から図示されていない内視鏡に向かう管路に送り出される。
【００２４】
図３には、ランプ交換扉６が開かれた状態が示されており、ランプ交換扉６を開くことにより、開口部５内に配置されている空気浄化フィルタユニット１６が露出するので、まず、空気浄化フィルタユニット１６が取り付けられた状態のフィルタユニット支持腕１４を押え板１１から取り外し、接続チューブ２０との接続を外した後、フィルタユニット支持腕１４から空気浄化フィルタユニット１６を外して交換することができる。
【００２５】
そのような空気浄化フィルタユニット１６とフィルタユニット支持腕１４は、光源ランプ１を交換する際に外方から緩める必要のある二つのランプ固定摘まみ４ａ，４ｂの中の一方のランプ固定摘まみ４ａの外側位置に隣接して配置されている。
【００２６】
したがって、空気浄化フィルタユニット１６をフィルタユニット支持腕１４と共に取り外さないとランプ固定摘まみ４ａを回転させる作業ができないので、光源ランプ１を交換するためには、その前に、図６に示されるように、開口部５から空気浄化フィルタユニット１６をフィルタユニット支持腕１４と共に取り外す必要があり、空気浄化フィルタユニット１６の交換を積極的に行わせることができる。
【００２７】
なお、本発明は上記実施例に限定されるものではなく、例えば上記実施例においては空気浄化フィルタユニット１６の吸気口が送気ポンプ２の吸気口２１になっているが、空気浄化フィルタユニット１６は、送気ポンプ２に大気を吸い込むための吸気口２１と送気ポンプ２で加圧された空気を装置外に送り出すための送気口２２との間の空気流路のどこかに配置されていればよい。
【図面の簡単な説明】
【００２８】
【図１】本発明の実施例の内視鏡用光源装置の図２におけるＩ−Ｉ断面図である。
【図２】本発明の実施例の内視鏡用光源装置の側面図である。
【図３】本発明の実施例の内視鏡用光源装置の平面図である。
【図４】本発明の実施例の内視鏡用光源装置の空気浄化フィルタユニットとフィルタユニット支持腕の側面図である。
【図５】本発明の実施例の内視鏡用光源装置の図４におけるＶ−Ｖ断面図である。
【図６】本発明の実施例の内視鏡用光源装置の空気浄化フィルタユニットが取り外された状態の平面図である。
【符号の説明】
【００２９】
１  光源ランプ
２  送気ポンプ
３  ヒートシンク
４ａ，４ｂ  ランプ固定摘まみ
５  開口部
６  ランプ交換扉
１０  フレーム
１１  押え板
１４  フィルタユニット支持腕
１５  連結座板
１６  空気浄化フィルタユニット
１７  空気浄化フィルタ
２０  接続チューブ
２１  吸気口
２２  送気口
【図１】
2005334508.tif 000003
【図２】
2005334508.tif 000004
【図３】
2005334508.tif 000005
【図４】
2005334508.tif 000006
【図５】
2005334508.tif 000007
【図６】
2005334508.tif 000008